(57)【要約】【課題】  走行型摘採機の摘採装置から収葉コンテナへの接続を合理化し、収葉コンテナの収容能力を増大させることと、収葉コンテナからトラック上に設けた搬送用コンテナへの茶葉の載せ替えを合理化して、重心の低い、軽量で、安価な機体を提供する。【解決手段】走行型摘採機の摘採装置に接続された収葉コンテナの後壁をコンベヤ型の無端輸送帯で構成し、茶葉の排出を行う。【選択図】        図１
2008301831.tif 000002
【特許請求の範囲】
【請求項１】
収葉コンテナの後壁面をコンベヤ状の無端輸送帯としたことを特徴とした走行型茶葉摘採機。
【請求項２】
茶葉排出時に後壁面を後方に傾斜させることを特徴とした請求項１記載の走行型茶葉摘採機。
【請求項３】
茶葉排出時に収葉コンテナを上昇させ、後壁面を傾けることを特徴とした請求項１記載の走行型茶葉摘採機。
【発明の詳細な説明】
【技術分野】
【０００１】
この発明は、茶畝に沿って走行しながら茶葉を摘採する摘採機に関するものであって、摘採した茶葉を収容する収葉コンテナを備えた走行型茶葉摘採機に関するものである。
【背景技術】
【０００２】
走行型摘採機としては、茶の畝間にレールを敷き、レール上を走行するものと、畝間の地面を無端輸送帯の走行装置によって走行するものがある。これらはいずれも機体に茶袋を取り付けて、茶葉を収容している。近年、茶袋の代りに摘採した茶葉を収容する収葉コンテナを取付けたものが現れている。
【特許文献１】特開２０００−０６０２６７号公報
【特許文献２】特開２０００−１２５６４３号公報
【発明の開示】
【発明が解決しようとする課題】
【０００３】
収葉コンテナを備えた摘採機は、収葉コンテナ内へ摘採した茶葉を、製茶工場まで運ぶための搬送用コンテナを備えたトラックに積み替えねばならない。このため、特開２０００−６０２６７では、茶葉の入った収葉コンテナを、トラックの上の搬送用コンテナの高さまで持ち上げて、反転させて積み替えを行なっている。又、特開２０００−１２５６４３では、収葉コンテナを、搬送用コンテナの高さまで持ち上げ、更に真上まで移動させ、収葉コンテナの底を開いて積み替えを行なっている。両者共に、摘採した茶葉の詰まった収葉コンテナを高く持ち上げるための装置が必要である。更に、前者ではこれを反転させるための複雑なリンクが設けてある。後者では、持ち上げた収葉コンテナを搬送用コンテナの真上まで水平移動させる装置と、収葉コンテナの底蓋を開閉させる装置が必要となっている。また、前者は摘採装置に設けた送風ファンの風で吹き飛ばされた茶葉を収葉コンテナの前面の横から受け入れているので、収葉コンテナは横長となり、大量の茶葉を収容するのは困難である。後者では大量の茶葉の収容を可能とするために、摘採装置に接続して空気輸送用ダクトを立設し、収葉コンテナの上部まで茶葉を運び、収葉コンテナの上から投入している。両者共に、これらの動作を行なうため、複雑な機構を設けており、これが機体の重量増大とコストの上昇の原因となっている。
【０００４】
また、茶葉の入った重い収葉コンテナを機体の後方の高いところに持ち上げるため、機体が非常に不安定となり、危険である。この不安定な状態で収葉コンテナを反転させたり、収葉コンテナの底蓋を開閉させたりすることで、更に危険になる。また、この状態で茶葉が放出されると、急激に重心が変化し、反動で転倒の危険がある。大量の茶葉が高いところから一度に落下するので、茶葉に衝撃を与え、茶葉を痛めやすい。
【０００５】
この発明では、機体の構造を簡単にして、重心の低い、軽い機体にすることによって、茶畝を傷めず、安価で、安全に積み替え作業ができ、茶葉の排出を少しづつ行なうことによって、茶葉を傷めない走行型摘採機を提供することを課題とする。
【課題を解決するための手段】
【０００６】
請求項１の発明では、収葉コンテナの後壁面をコンベヤ状の無端輸送帯とするという手段を用いる。このようにすれば、茶葉排出時には、後壁面で茶葉をかき上げ、収葉コンテナの上方から茶葉を排出することができる。このとき、コンベヤ面となる壁面には、突起物をつけておいて、茶葉の排出をしやすくする。また、後壁面を傾斜しておけば、茶葉の排出が容易となる。収葉コンテナの上方から茶葉の排出がされるので、高い位置にある搬送用コンテナの上まで茶葉が持ち上げられるので、収葉コンテナ自体はそんなに高く上げなくても良い。
【０００７】
請求項２の発明では、茶葉排出時に後壁面を後方に傾斜させるという手段を用いる。茶葉の排出以外のときは、後壁面を垂直にしておけば、後方への張り出しがなくなり、邪魔にならない。茶葉の排出時は後方に傾斜させることにより、茶葉をかき上げて排出しやすくなる。また、後壁面の上部が本体の後方へ張り出すので、搬送用コンテナへ投入しやすくなる。また、このとき、後壁面と底面が一体となっていれば、後壁面を傾けると同時に底面の前方が持ちあがるので、前方にある茶葉を後壁面の方へ滑り落とす作用をする。
【０００８】
請求項３の発明では、茶葉排出時に収葉コンテナを上昇させ、後壁面を傾けるという手段を用いる。搬送用コンテナの周囲の側壁は高いので、排出される茶葉はこの上まで持ち上げる必要がある。請求項２の発明だけでは高さが低いときは、請求項３のように、収葉コンテナを一度上昇させる事で解決出来る。
【発明の効果】
【０００９】
この発明の収葉コンテナの使用により、機体に茶袋を取付けて摘採した茶葉を収容する場合に比べて、茶袋の交換をする必要がなく、茶葉で満杯になった重い茶袋をトラックにのせ替える手間もなくなり、摘採作業が合理化され、省力化が計られる。従来の収葉コンテナを使用した走行型摘採機に比べて、構造が簡単で、軽量な機体となり、茶園を傷つけない。又、重心が低く、安全な作業ができると同時に製作コストを安くすることが可能である。茶葉を少しづつ排出するため、茶葉を傷めない。収葉コンテナ下方の空気吹出口から茶葉を吹き上げて、積み上げるので、大量の茶葉を収葉コンテナ内へ収容することが出来る。摘採装置前方の送風管から吹き出す風は摘採した茶葉を収葉コンテナの入口まで運ぶだけでよいので、送風ファンを弱くすることが可能となり、摘採時に送風管から吹き出す風で茶芽が曲がるのを防ぎ、均一な摘採が出来る。
【発明を実施するための最良の形態】
【００１０】
図面に基づいて、実施例を説明する。図１はこの発明の走行型茶葉摘採機の側面図であり、トラックに乗せた搬送用コンテナ１４へ茶葉をのせ替える要領を示している。１は茶畝の間を走行する無端輸送帯でできた走行装置、２は茶畝をまたいで左右の走行装置１をつなぐ門型枠、３は摘採装置を載せて上下する昇降枠である。４は昇降枠３を門型枠２に沿って上下させるための昇降ガイドである。摘採装置は茶畝の横巾全体を覆う刈刃５と、摘採された茶葉を吹き飛ばす送風ファン６、送風管１３、送風枝管４１、案内ダクト９によって構成される。８は刈刃５を支えるフレームであり、９は吹き飛ばされた茶葉を収葉コンテナ１６、１７に誘導する案内ダクトである。収葉コンテナ１６、１７の前方には開口部が設けてあり、案内ダクト９と接続している。１４は上面が開放された、茶葉の輸送のための搬送用コンテナであり、トラック１５の荷台に乗せてある。
【００１１】
図４、５は、本発明とは別の実施例で、収葉コンテナに茶葉を吹き上げる空気吹出口の部分を図１、２から取出して、拡大したものである。収葉コンテナ１６、１７の開口部には、開閉扉１１が設けてあり、支点１２を中心として、回動する。また、開口部下方には、送風ダクト１８、１９が設けてある。図４の送風ダクト１８は、請求項２に示すように、摘採装置側の案内ダクト９に取り付けてある。図５の送風ダクト１９は、請求項３に示すように、収葉コンテナ１６、１７側に取りつけてある。送風ダクト１８、１９に送られた空気は、各々のダクトの上面のスリットより強い風となって、収葉コンテナ１６、１７内に吹き上げる。図６に示すように、このスリット２０は開口部の全巾に渡って設けてある。２１は送風ダクト１８へ吹き込む送風ファンの接続口である。
【００１２】
図７、８は本発明とは別の実施例で、強風の吹出口として、スリットの代りに多数の枝管を櫛状に並べて上方に吹き上げる実施例を示す。天井３９、４０は、摘採した茶葉を収葉コンテナ１６、１７へ吹き込んだ風が抜けるように、金網でできている。２３、２４は、収葉コンテナの昇降枠である。２５、２６はその昇降ガイドであって、支柱２７、２８に沿って収葉コンテナ１６、１７を上下する。摘採装置の昇降枠３とは別に上昇することが出来る。
【００１３】
図１は、請求項１に示す後壁面を無端輸送帯２９とした実施例である。収葉コンテナ１７の後面の上下に回転軸３０、３１を渡して、スプロケット３２、３３を設け、これにチェン３４を張設し、左右のチェンにシート３５を張って後壁面とする。この表面には茶葉排出のためのサン３６を付けておく。茶葉排出時には、請求項２、３に示すように、支点３７を中心として、後方に傾斜可能としてある。
【００１４】
図２は本発明とは別の実施例で、茶葉排出時収容コンテナを上昇させ、収葉コンテナを動かさないで、周囲の側壁を後方に移動させて茶葉の排出を行う例です。収葉コンテナ１６は支柱２８に沿って、上下可能としてある。更に、収葉コンテナ１６は底板３８を残して、周囲壁を１６'のように、前後に移動可能とする。底板３８の表面は出来るだけ滑らかとし、摩擦係数の少ない部材とするか、表面にテフロンコーティング等をする。
【００１５】
次に、この実施例の動作順序を説明する。まず、走行装置１を畝間に合わせて、機体を茶畝７に乗り入れる。次いで、刈刃５を茶樹の高さに合わせる。この時、収葉コンテナ１６、１７の高さを、その開口部が案内ダクト９、１０と接続するように合わせておく。開口部に設けた開閉扉１１は開いておくと、収葉コンテナ１６、１７の前方が開口され、摘採した茶葉の受入が可能となる。摘採装置を稼動させて機体を前進させ、摘採を開始する。摘採された茶葉は、刈刃前方の送風管１３から吹き出す風で飛ばされ、案内ダクト９、１０を通り、収葉コンテナ１６、１７の開口部から入って来る。このとき、下方のスリット２０から吹き上げる強風で収葉コンテナ１６、１７内に一度吹き上げられて散乱して落下し、堆積する。収葉コンテナ１６、１７が満杯になると、そのまま機体を茶畝の端の枕地まで前進又は後退させる。
【００１６】
図１の実施例では、トラック１５を移動して、収葉コンテナ１７の後部に搬送用コンテナ１４を持ってくる。次いで、収葉コンテナ１７をゆっくりと後方へ傾ける。このとき、開閉扉１１は閉じておく。この状態で後壁の無端輸送帯２９を回転させ、茶葉を上方へ持ち上げて、搬送用コンテナ１４の上方から投入する。投入が完了したら、再び収葉コンテナ１７を引き起こして、元の位置に戻す。次に図２の実施例では、開閉扉１１を閉じて収葉コンテナ１６を搬送用コンテナ１４より高くなるように上昇させる。次いで、トラック１５を収葉コンテナ１６の後へ移動させる。この状態で、収葉コンテナ１６の周囲側壁を１６'の位置までゆっくりと移動させると、茶葉は周囲側壁に押されて底板３８の上を滑って、後部から搬送用コンテナ１４に投入される。投入が終わったら、周囲側壁を再び元の位置に戻し、収葉コンテナ１６を摘採装置の高さまで降下させる、この状態で開閉扉１１を開けば、次の摘採を始めることが出来る。
【図面の簡単な説明】
【００１７】
【図１】本発明の走行型茶葉摘採機の側面図。
【図２】本発明とは別の実施例で走行型茶葉摘採機の側面図。
【図３】図１の正面図。
【図４】本発明とは別の実施例であって、空気吹出口を示す拡大側面図。
【図５】本発明とは別の実施例であって、空気吹出口を示す拡大側面図。
【図６】図４の拡大平面図。
【図７】本発明とは別の実施例であって、空気吹出口の実施例の拡大平面図。
【図８】図７の拡大側面図。
【符号の説明】
【００１８】
１  走行装置
２  門型枠
３  昇降枠
４  昇降ガイド
５  刈刃
６  送風ファン
７  茶畝
８  刈刃フレーム
９  案内ダクト
１０  案内ダクト
１１  開閉扉
１２  支点
１３  送風管
１４  搬送用コンテナ
１５  トラック
１６  収葉コンテナ
１７  収葉コンテナ
１８  送風ダクト
１９  送風ダクト
２０  スリット
２１  送風ファン接続口
２２  吹き上げ枝管
２３  コンテナ昇降枠
２４  コンテナ昇降枠
２５  昇降ガイド
２６  昇降ガイド
２７  支柱
２８  支柱
２９  無端輸送帯
３０  回転軸
３１  回動軸
３２  スプロケット
３３  スプロケット
３４  チェン
３５  シート
３６  サン
３７  支点
３８  底板
３９  天井
４０  天井
４１  送風枝管
【図１】
2008301831.tif 000003
【図２】
2008301831.tif 000004
【図３】
2008301831.tif 000005
【図４】
2008301831.tif 000006
【図５】
2008301831.tif 000007
【図６】
2008301831.tif 000008
【図７】
2008301831.tif 000009
【図８】
2008301831.tif 000010